(57)【要約】  【課題】  外形寸法の異なるコネクタで構成した変換コネクタを確実に使用できるようにする。  【解決手段】  機器本体に、規格外形寸法の小さなコネクタのレセプタクルを複数１１１，１１２配置し、規格外形寸法の小さいコネクタのプラグ３０２と規格外形寸法の大きなコネクタのレセプタクル３０４とで構成された複数の変換コネクタ３０１，３０１の、そのプラグ３０２，３０２を機器本体のレセプタクル１１１，１１２に結合することを許容すべく、機器本体のレセプタクル１１１，１１２を、両コネクタの規格外形寸法の差に基づいて間隔を空けて配置するように構成した。【選択図】  図４
2005346159.tif 000002
【特許請求の範囲】
【請求項１】
第１の規格に基づく外形寸法を有するレセプタクルあるいはプラグが設けられ、当該プラグあるいはレセプタクルによって信号を受けあるいは信号を送出するように構成されたテレビジョン受像機において、
前記第１の規格に基づく外形寸法のレセプタルあるいはプラグが複数設けられ、それらレセプタクルあるいはプラグが、前記第１の規格に基づく外形寸法より大きな外形寸法を有する第２の規格のコネクタと、このコネクタと接続された前記第１の規格に基づく外形寸法のプラグあるいはレセプタクルとで構成された複数の変換コネクタのそれぞれのプラグあるいはレセプタクルと同時に結合可能であるように、その配置間隔を設定して設けられていることを特徴とする電子機器。
【請求項２】
前記複数設けられた第１の規格に基づく外形寸法のレセプタルあるいはプラグは、当該レセプタクルあるいはプラグの外形寸法と、前記第２の規格のコネクタの外形寸法との差に基づいて前記相互間の間隔が設定されていることを特徴とする請求項１に記載の電子機器。
【請求項３】
前記複数設けられた第１の規格に基づく外形寸法を有するレセプタクルあるいはプラグは、前記間隔を置いてプラグ同士あるいはレセプタクル同士またはプラグとレセプタクルで構成されていることを特徴とする請求項１または２に記載の電子機器。
【請求項４】
前記第１の規格がＨＤＭＩであり前記第２の規格がＤＶＩであることを特徴とする請求項１乃至３のいずれかに記載の電子機器。
【発明の詳細な説明】
【技術分野】
【０００１】
この発明は、映像信号及び音声信号を伝送するケーブルからの信号を受けるコネクタ（レセプタクル）を備えたテレビジョン受像機等の電子機器に関し、特に複数のレセプタクルを、多様な信号伝送形態に対応できるように配置した電子器に関する。
【背景技術】
【０００２】
従来、映像信号の伝送規格としてＤＶＩ（Digital Visual Interface）が採用されてきており、特にコンピュータの分野においては、広く普及している。
【０００３】
この規格は、ＴＭＤＳ（Transition Minimized Differential Signaling）伝送方式を用いて、デジタル映像信号を伝送することを可能にしている。ＤＶＩ規格には、レセプタクル（受け側）とプラグ（送り側）で構成されるコネクタの寸法形状及びピンの数、各ピンに対する信号の配分が決められており、このコネクタを備えたＤＶＩケーブルを使うことで、レセプタクルを備えている、例えば、モニタ機器等に１．６５Ｇｂｐｓ（giga bits per second）の伝送速度でデジタル映像信号を伝送することが可能である。
【０００４】
しかしながら、ＤＶＩ規格では、音声信号については、考慮されておらず、音声信号はＤＶＩケーブルとは別の信号線で、アナログ信号の形態で伝送することになる。したがって、音声信号を当然のことのように扱うテレビジョン受像機等については、ＤＶＩ規格はあまり適用されていない。
【０００５】
そこで、新たに、デジタル音声信号も同じケーブルで伝送できる、ＨＤＭＩ（High-Definition Multimedia Interface）が提唱され、既に実用化されつつある。
【０００６】
ＨＤＭＩ規格も、ＴＭＤＳ伝送方式を採用し、５Ｇｂｐｓの伝送速度を備える。また、レセプタクルとプラグで構成されるコネクタの形状、ピン配置及びピンに対する信号の配分も決められており、そのようなコネクタを設けたＨＤＭＩケーブルも市販されつつある。コネクタの形状としては、動画を撮影するビデオカメラ等小型機器への適用を考慮して小型の形状が採用されている。
【０００７】
ＨＤＭＩ規格も、伝送方式がＴＭＤＳ方式でＤＶＩと同じであるため、ＤＶＩの信号を扱うことが可能なように構成されている。したがって、例えば、一端にＤＶＩのレセプタクルあるいはプラグが設けられ、他端にＨＤＭＩのプラグあるいはレセプタクルが設けられたケーブルを用いて、ＨＤＭＩ対応機器とＤＶＩ対応機器間でデジタル映像信号の送受信を行わせることも可能である。
【０００８】
また、ＤＶＩのレセプタルで受けた信号をＨＤＭＩのプラグで出力するか、あるいはＨＤＭＩのレセプタクルで受けた信号をＤＶＩプラグで出力するように、異なる規格のレセプタクルとプラグが、同じ筐体に一体的に設けられたいわゆる変換コネクタがあれば、特殊なケーブルは必要なくなる。
【０００９】
このような、変換コネクタを用いれば、電子機器間の接続に多様性を持たせることができるが、ＨＤＭＩ規格とＤＶＩ規格では、コネクタの外形寸法が異なるため、変換コネクタの形状が、特殊形状にならざるを得ず、それを適用する場合には注意が必要となる。
【００１０】
すなわち、ＤＶＩ規格のコネクタはタイプＡとＢの２種類あり、タイプＡでは、プラグ側の外形寸法は、長手方向の幅が１３．９ｍｍで高さが４．４５ｍｍであり、レセプタクル側は、内部にそのプラグを受けるため外形寸法の規定はないが、長手方向の幅はおよそ１５．５ｍｍ、高さがおよそ、５．５ｍｍで形成されている。
【００１１】
また、タイプＢでは、プラグが長手方向の幅が２１．２ｍｍで高さが、４．４５ｍｍであり、レセプタクルは長手方向の幅がおよそ２２ｍｍで高さがおよそ５，５ｍｍである。
【００１２】
これに対して、ＤＶＩコネクタは、プラグ、レセプタクルとも外形寸法は長手方向の幅およそ３７ｍｍ高さはおよそ１０ｍｍである。
【００１３】
したがって、例えば、ＨＤＭＩのＡタイプのプラグとＤＶＩのレセプタクルを、それぞれが互いに幅方向の中心ラインを一致させて反対方向を向くように１８０度角度を持たせて配置して変換コネクタを構成すると、ＨＤＭＩプラグの幅方向の端からさらにおよそ１１．５ｍｍ以上おいてＤＶＩのレセプタクルの端が位置するという形状になる。
【００１４】
このような形状の変換コネクタは、単独で使う分には何ら問題は生じないが、例えば電子機器に２個のＨＤＭＩレセプタクルを配置するような場合には、両方のレセプタクルにそれぞれ変換コネクタのＨＤＭＩプラグを差し込むという使用形態が考えられるが、レセプタクルをＤＶＩとＨＤＭＩのコネクタの外形寸法の差を考慮して電子機器に取り付けないと、２個の変換コネクタを同時に使用できないという事態が発生することになる。
【００１５】
従来、ＤＶＩケーブルで信号伝送する仕方についての提案は、数多くなされている（例えば特許文献１）が、異なる規格のコネクタを備えた変換コネクタを用いて信号を伝送することについて言及した提案はなされていない。
【特許文献１】特開２００１−１２５６９３号公報
【発明の開示】
【発明が解決しようとする課題】
【００１６】
以上のように、従来、ＨＤＭＩ規格のコネクタのレセプタクルあるいはプラグと、ＤＶＩ規格のコネクタのプラグあるいはレセプタクルを一体的に配置した変換コネクタを用いて信号の伝送を行うことに関して提案がなかった。
【００１７】
本発明は、以上の点に考慮してなされたものであり、当該変換コネクタを用いて多様性のある信号伝送を確実に実現させることを目的とした電子機器を提供することを目的とする。
【課題を解決するための手段】
【００１８】
本発明の電子機器は、第１の規格に基づく外形寸法を有するレセプタクルあるいはプラグが設けられ、当該プラグあるいはレセプタクルによって信号を受けあるいは信号を送出するように構成されたテレビジョン受像機において、前記第１の規格に基づく外形寸法のレセプタルあるいはプラグが複数設けられ、それらレセプタクルあるいはプラグが、前記第１の規格に基づく外形寸法より大きな外形寸法を有する第２の規格のコネクタと、このコネクタと接続された前記第１の規格に基づく外形寸法のプラグあるいはレセプタクルとで構成された複数の変換コネクタのそれぞれのプラグあるいはレセプタクルと同時に結合可能であるように、その配置間隔を設定して設けられていることを特徴とする。
【発明の効果】
【００１９】
本発明によれば、それぞれ異なる規格に対応した外形寸法の異なるコネクタのうち、外形寸法の小さいコネクタを複数配置する際に、それコネクタ間の間隔を、異なる規格のコネクタの外形寸法の差に応じて、明けるようにしたので、複数のコネクタに変換コネクタを結合させることが可能となるものである。
【発明を実施するための最良の形態】
【００２０】
以下、図面を参照して、この発明の電子機器の一実施の形態を詳細に説明する。  
図１は、本発明の電子機器の一実施例としてのテレビジョン受像機を示す回路ブロック図である。図において、１０１はアンテナであり、例えば地上波デジタル放送電波をキャッチする。アンテナ１０１は、アンテナ入力端子１０２を介してチューナ１０３に接続されており、キャッチした放送電波をアンテナ信号としてチューナ１０３に送出する。
【００２１】
チューナ１０３は、放送信号の中の所望のチャンネルを選局して、受信信号として復調部１０４に供給する。復調部では、受信信号を復調すると共に、誤り訂正あるいは必要に応じてデスクランブル処理等を施してＭＰＥＧ（Moving Picture Experts Group）２のＴＳ（Transport Stream）として出力する。
【００２２】
復調部１０４から出力されるＴＳは、デマルチプレクサ１０５に供給され、ここで、所望の番組を構成するＥＳ（Elementary Stream）が分離される。デマルチプレクサ１０５で分離されたＥＳは、ＭＰＥＧでコーダ１０６に供給されて、ＭＰＥＧ２規格に基づいた復号処理を受け、非圧縮のデジタル映像信号及びデジタル音声信号に変換されて出力される。
【００２３】
ＭＰＥＧデコーダ１０６から出力されるデジタル映像信号は、グラフィック処理部１０７において、例えばＯＳＤ（On Screen Display）信号の重畳等の処理が施された後、Ａ／Ｖ（Audio/Visual）エンコーダ１０８に導出される。
【００２４】
一方ＭＰＥＧデコーダ１０６では音声信号も復号して非圧縮のデジタル音声信号として出力しており、そのデジタル音声信号は、直接Ａ／Ｖエンコーダ１０８に供給される。
【００２５】
Ａ／Ｖエンコーダ１０８では、デジタル映像信号を標準テレビション信号に変換して例えば液晶表示パネルで構成される表示部１０９に出力してその映像を表示させると共に、デジタル音声信号をアナログ信号に変換してスピーカ等で構成される音声出力部１１０から音声として出力させる。
【００２６】
さらに、Ａ／Ｖエンコーダ１０８には、外部からの映像信号および音声信号が供給されるように構成されている。すなわち、テレビジョン受像機１００の例えば筐体背面には、本発明の構成要素であるＨＤＭＩレセプタクル１１１，１１２が設けられ、さらにアナログ信号が入力される音声信号入力端子１１３が設けられている。
【００２７】
ＨＤＭＩレセプタクル１１１，１１２は、それぞれＴＭＤＳ受信部１１４，１１５に接続され、ＴＤＭＳ受信部１１４，１１５がＡ／Ｖエンコーダ１０８に接続されている。また、音声信号入力端子１１３は直接Ａ／Ｖエンコーダ１０８に接続されている。
【００２８】
ＨＤＭＩレセプタクル１１１，１１２に供給される信号は、送信元に設けられたＴＭＤＳ送信部で符号化され、シリアル信号に変換されたものであり、ＴＭＤＳ受信部１１４，１１５は、ＨＤＭＩレセプタクル１１１，１１２からの信号を受けてこれを復号し、パラレル信号に変換して出力する。
【００２９】
テレビジョン受像機１００は、さらにテレビジョン受像機１００全体の動作制御、機能設定及び調整を実行させるために、制御部１１６を備えている。
【００３０】
制御部１１６はＭＰＵ（Central Processing Unit）で構成され、各種処理プログラムが格納されたＲＯＭ（Read Only Memory）１１７とワークエリアを提供するＲＡＭ（Random Access Memory）１１８が接続されている。さらにまた、制御部１１６には、ユーザが操作してテレビジョン受像機１００の機能を切換えたり、調整したりするための操作入力部１１９と、リモートコントローラ１２０からの信号を受ける赤外線受光部１２１が接続されている。
【００３１】
制御部１１６は、チューナ１０３を制御して、チャンネルを選局して所望の放送番組を受信させる。また復調部１０４を制御して復調あるいはデスクランブル処理を実行させ、さらにデマルチプレクサ１０５を制御して番組のＥＳあるいは、データ放送のデータ等を分離抽出させる。
【００３２】
また、制御部１１６は、ＭＰＥＧデコーダ１０６を制御して、ＭＰＥＧ２の復号処理を実行させ、さらにグラフィック処理部１０７を制御してＯＳＤ信号の生成あるいは重畳処理を実行させる。
【００３３】
さらに、制御部１１６は、Ａ／Ｖエンコーダ１０８を制御して、表示部１０９で表示する映像信号の選択あるいは調整、及び音声出力部１１０で出力する音声信号の選択あるいは調整を実行させる。
【００３４】
図２は、図１に示すテレビジョン受像機１００の外観を示すものであり、この実施の形態では、表示部１０９として、液晶表示パネル２０１が適用されている。
【００３５】
図２（ａ）はテレビジョン受像機１００を正面から見た図であり、液晶表示パネル２０１は、筐体２０２の枠内に設けられ、筐体２０２は、支持部材２０３によって、支持されている。
【００３６】
図２（ｂ）は、テレビジョン受像機１００を裏側から見た図であり、筐体２０２裏面の支持部材２０３側に、外部入力あるいは出力端子をまとめて配設した端子板２０４が設けられ、この端子板２０４に、図１に示すＨＤＭＩレセプタクル１１１，１１２が設けられ、さらに音声信号入力端子１１３が設けられている。
【００３７】
ＨＤＭＩレセプタクル１１１，１１２は、長手方向に伸びる同一直線上に所定間隔を置いて設けられている。
【００３８】
図３は、ＨＤＭＩレセプタクル１１１，１１２と結合するＨＤＭＩプラグとＤＶＩレセプタクルを備えた変換コネクタ３０１を示す斜視図である。図３（ａ）は、ＨＤＭＩプラグ３０２側を示す図であり、ＨＤＭＩプラグ３０２は、コネクタ本体３０３の側面から突出するように設けられ、反対側の側面にＤＶＩレセプタクルがその幅方向の中心をＨＤＭＩプラグ３０２の長手方向中心と一致させるように設けられている。
【００３９】
図３（ｂ）は、変換コネクタ３０１をＤＶＩレセプタクル３０４側から見た図であり、ＤＶＩレセプタクル３０４としてＤＶＩ−Ｄ（Digital）タイプのものが設けられている。
【００４０】
図３のＨＤＭＩプラグ３０２を図１に示すＨＤＭＩレセプタクル１１１，１１２に差し込んで結合させれば、両者の電気的かつ機械的な結合が完了し、ＤＶＩレセプタクル３０４に、図示しないＤＶＩケーブルのＤＶＩプラグを接続すれば、ＤＶＩ対応機器から伝送されるデジタル映像信号を受けることが可能である。
【００４１】
すなわち、図１のＨＤＭＩレセプタクル１１１，１１２に供給された信号は、デジタル映像信号と同期信号を含み、ＴＭＤＳ受信部１１４，１１５でデコードされ、さらにパラレル信号に変換されてＡ／Ｖエンコーダ１０８に供給される。ここで同期信号に基づきテレビジョン信号に構築されて表示部１０９に供給されて表示される。
【００４２】
さて、図３に示すように変換コネクタ３０１は、コネクタ本体３０３の外形寸法がＤＶＩレセプタクル３０４の外形寸法に対応したものとなっており、長手方向の幅寸法は、およそ３７ｍｍに等しいかあるいはそれより大きな値に設定されている。
【００４３】
したがって、変換コネクタ３０１を２個用意して、それぞれのＨＤＭＩプラグ３０２を、テレビジョン受像機１００の、ＨＤＭＩレセプタクル１１１，１１２に結合される場合には、ＨＤＭＩレセプタクル１１１，１１２の取り付け間隔が所定値以上空いてないと、どちらかの変換コネクタ３０１をＨＤＭＩレセプタクル１１１あるいは１１２に結合させることができなくなる。
【００４４】
本発明では、ＨＤＭＩレセプタクル１１１と１１２の間隔を、ＨＤＭＩプラグの長手方向幅の寸法（１３．９ｍｍ）とＤＶＩレセプタクルの長手方向幅の寸法（およそ３７ｍｍ）の差のおよそ２３ｍｍ以上空けるようにしている。それによって、変換コネクタ３０１をＨＤＭＩレセプタクル１１１，１１２の両方に同時に結合させることができるようになるものである。
【００４５】
すなわち、図４に示すように、変換コネクタ３０１は、ＨＤＭＩプラグ３０２の幅方向中心と、とＤＶＩレセプタクル３０４の幅方向中心がそれぞれ直線４０１を通るように互いの位置関係が決められており、したがって、直線４０１と４０１の間の距離Ｌ１は最低でも、変換コネクタ本体３０３の幅の分必要であり、ＨＤＭＩレセプタクル１１１，１１２間の距離Ｌ２は、ＨＤＭＩプラグ３０２の幅３０２Ｌと、変換コネクタ本体３０３の幅３０３Ｌの差分以上必要になるものである。変換コネクタ本体３０３の幅３０３ＬがＤＶＩレセプタクルの幅と実質同一なら、ＨＤＭＩレセプタクル１１１，１１２間の距離Ｌ２は、ＨＤＭＩプラグ３０２とＤＶＩレセプタクルの幅の差であるとすることができる。
【００４６】
なお、以上の説明では、ＨＤＭＩレセプタクルを２個、電子機器であるテレビジョン受像機に設けるようにしたが、本発明は、それに限定されるものではなく、電子機器にＨＤＭＩプラグを設けるようにしてもよく、あるいはＨＤＭＩプラグとレセプタクルを上記説明した所定間隔を置いて設けるようにしてもよい。当然ながら、プラグの場合には、外部機器に信号を供給することになる。
【００４７】
また、以上説明した実施の形態では、ＨＤＭＩレセプタクルを長手方向を通る同一直線上に所定間隔を空けて設けるようにしたが、ＨＤＭＩレセプタクルを互いにその長手方向が平行となるように配置することもできる。この場合には、当然ながら高さ方向の寸法差に基づいて、間隔を設定することになる。
【００４８】
以上のように本発明の電子機器によれば、ＨＤＭＩコネクタとＤＶＩコネクタ等、外形寸法の異なるコネクタ間の変換コネクタを構成して使用する場合に、機器に設けるコネクタを、少なくとも両コネクタの外形寸法の差以上間隔を空けて配置するようにしたので、複数の変換コネクタを確実に使用することができるため、信号の伝送に多様性をもたらすことができるものである。
【００４９】
なお、変換コネクタが、外形寸法の大きなコネクタの外側にさらに所定の肉厚を持たせたものである場合には、コネクタ本体の寸法と外形寸法の小さなコネクタの寸法差分を間隔として空ければよい。
【００５０】
なお、本発明は、実施例としてテレビジョン受像機に適用した例に基づいて説明したが本発明は、テレビジョン受像機以外にも、映像信号を扱う機器で適用可能である。
【図面の簡単な説明】
【００５１】
【図１】本発明に係る電子機器の一実施の形態としてのテレビジョン受像機を示す回路ブロック図。
【図２】図１に示すテレビジョン受像機の外観を示す図。
【図３】図１に示すテレビジョン受像機に適用される変換コネクタの一実施の形態を示す斜視図。
【図４】図１に示すテレビジョン受像機に複数のレセプタクルを設ける際に、その取り付け間隔を説明するための構成図。
【符号の説明】
【００５２】
１００…テレビジョン受像機
１０１…アンテナ
１０２…アンテナ入力端子
１０３…チューナ
１０４…復調部
１０５…デマルチプレクサ
１０６…ＭＰＥＧデコーダ
１０７…グラフィック処理部
１０８…Ａ／Ｖエンコーダ
１０９…表示部
１１０…音声出力部
１１１…ＨＤＭＩレセプタクル
１１２…ＨＤＭＩレセプタクル
１１３…音声信号入力端子
１１４…ＴＭＤＳ受信部
１１５…ＴＭＤＳ受信部
１１６…制御部
１１７…ＲＯＭ
１１８…ＲＡＭ
１１９…操作入力部
１２０…リモートコントローラ
１２１…赤外線受光部
３０１…変換コネクタ
３０２…ＨＤＭＩプラグ
３０３…変換コネクタ本体
３０４…ＤＶＩレセプタクル
【図１】
2005346159.tif 000003
【図２】
2005346159.tif 000004
【図３】
2005346159.tif 000005
【図４】
2005346159.tif 000006